(57)【要約】      （修正有）【課題】アドレス時にヘッドのセッティング状態が容易に確認でき、打点ズレをした場合にも、ボールにスピンをかけて飛距離を伸ばしたり飛距離を調整することができるヘッドを提供する。【解決手段】ヘッドのフェース部２７の略中央に複数本のスコアライン３３をソール部１３に沿って略平行に設けたヘッド３に於て、スコアライン３３の端部をヘッド３のトップ，ソール方向に揃えると共に、スコアライン３３が形成されたスコアライン形成領域３５、スコアライン３３より小さな開口幅と深さを有する複数本の小溝３７を設ける。そして、スコアライン形成領域３５を除く、ヘッド本体のフェース部１５に、スコアライン３３より小さな開口幅と深さを有する複数本の小溝３７を設けた。【選択図】図２
2007202633.tif 000002
【特許請求の範囲】
【請求項１】
フェース部の略中央に複数本のスコアラインをソール部に沿って略平行に設けたゴルフクラブヘッドに於て、
前記スコアラインの端部をゴルフクラブヘッドのトップ，ソール方向に揃えると共に、
当該スコアラインが形成されたスコアライン形成領域とその周辺のフェース部に、スコアラインより小さな開口幅と深さを有する複数本の小溝を設けたことを特徴とするゴルフクラブヘッド。
【請求項２】
フェース部の略中央に複数本のスコアラインをソール部に沿って略平行に設けたゴルフクラブヘッドに於て、
前記スコアラインの端部をゴルフクラブヘッドのトップ，ソール方向に揃えると共に、
当該スコアラインが形成されたスコアライン形成領域を除くフェース部の周辺部に、スコアラインより小さな開口幅と深さを有する複数本の小溝を設けたことを特徴とするゴルフクラブヘッド。
【請求項３】
隣接する小溝の間隔は、当該小溝の開口幅より幅狭であることを特徴とする請求項１または請求項２に記載のゴルフクラブヘッド。
【発明の詳細な説明】
【技術分野】
【０００１】
本発明はゴルフクラブヘッドに係り、詳しくは打球面たるフェース部に複数本のスコアラインを設けたゴルフクラブヘッドの改良に関する。
【背景技術】
【０００２】
従来、例えばアイアンのゴルフクラブヘッド（以下、「ヘッド」という）は、番手に応じたロフト角が設定され、このロフト角は番手が上がるに従い順次大きく設定されている。
そして、アドレス時のヘッドのセッティング状態を確認し易くし、また、打球時にボールにスピンを付与するため、打球面たるフェース部の略中央に複数本のスコアラインがソール部に沿って略平行且つ等間隔に設けられており、ボールをこのスコアライン形成領域で打球すると、ロフト角とスコアラインとの相乗効果でボールにスピンがかかって、番手に応じた打出し角とスピンによる浮力で番手毎の飛距離が調整できるようになっている。
【０００３】
ところで、特許文献１には、アドレス時に目標とするボールの飛球ラインに対するヘッドのセッティング状態をより確認し易くするため、スコアラインの凹溝の上側内面を外側上方に向け拡開傾斜状態に面取りしたヘッドが開示されている。
また、特許文献２には、ボールに更に良好なスピンをかけることができるように、スコアライン形成領域内に、スコアラインより断面の小さい複数本の小溝を設けたヘッドが開示されている。
【０００４】
而して、特許文献１のヘッドによれば、アドレス時に上方からヘッドを目視すると、スコアラインが目立つため飛球ラインに対するヘッドのセッティング状態の確認が容易となり、また、特許文献２のヘッドによれば、打球時にスコアラインと小溝とによって、従来に比しボールに更に大きなスピンをかけることが可能となった。
【特許文献１】実開平６−６６７２９号公報
【特許文献２】特開平９−２５３２５０号公報
【発明の開示】
【発明が解決しようとする課題】
【０００５】
しかし乍ら、特許文献１及び特許文献２のヘッドは、いずれも打点ズレをした場合、また、様々な状況下でフェース部中央以外で打球をすることを強いられたような場合に、スコアライン形成領域を外して打球すると、ボールにスピンをかけることができない欠点があった。
本発明は斯かる実情に鑑み案出されたもので、アドレス時にヘッドのセッティング状態が容易に確認でき、また、例えば打点ズレをした場合にも、ボールにスピンをかけて飛距離を伸ばしたり飛距離を調整することができるヘッドを提供することを目的とする。
【課題を解決するための手段】
【０００６】
斯かる目的を達成するため、請求項１に係る発明は、フェース部の略中央に複数本のスコアラインをソール部に沿って略平行に設けたヘッドに於て、前記スコアラインの端部をヘッドのトップ，ソール方向に揃えると共に、当該スコアラインが形成されたスコアライン形成領域とその周辺のフェース部に、スコアラインより小さな開口幅と深さを有する複数本の小溝を設けたことを特徴とする。
【０００７】
また、請求項２に係る発明は、フェース部の略中央に複数本のスコアラインをソール部に沿って略平行に設けたヘッドに於て、前記スコアラインの端部をヘッドのトップ，ソール方向に揃えると共に、当該スコアラインが形成されたスコアライン形成領域を除くフェース部の周辺部に、スコアラインより小さな開口幅と深さを有する複数本の小溝を設けたことを特徴とし、請求項３に係る発明は、請求項１または請求項２に記載のヘッドに於て、隣接する小溝の間隔は、当該小溝の幅より幅狭であることを特徴とする。
【発明の効果】
【０００８】
請求項１乃至請求項３に係る発明によれば、小溝がスコアラインより小さな開口幅と深さで形成されているため、アドレス時にスコアライン形成領域が良好に視認でき、目標とするボールの飛球ラインに対するヘッドのセッティング状態が容易に確認できる利点を有する。
そして、打点ズレをした場合に、小溝によってボールにスピンをかけることができるため、確実に飛距離を伸ばしたり飛距離を調整することができる。
【０００９】
また、請求項２に係る発明によれば、スコアライン形成領域での打球とスコアライン形成領域外での打球のスピン量の差を小さくでき、安定した打球をすることができる。
更にまた、請求項３に係る発明によれば、隣接する小溝の間隔を小溝の幅より幅狭としたことで、ボールとの摩擦力が高まってボールに大きなスピンをかかることができる利点を有する。
【発明を実施するための最良の形態】
【００１０】
以下、本発明の実施形態を図面に基づいて詳細に説明する。
図１乃至図６は請求項１及び請求項３の発明をアイアンのヘッドに適用した第一実施形態を示し、図１に示すように繊維強化樹脂または金属で形成されたシャフト１の先端にヘッド３が取り付き、シャフト１の後端側にグリップ５が取り付いてアイアンのゴルフクラブ７が形成されている。そして、周知のようにゴルフクラブ７のライ角αはシャフト軸線Ｓにより定められ、ヘッド３が規定のライ角，ロフト角で設定されたときに、ソールに接する基準水平面Ｌが設定される。
【００１１】
図２はヘッド３の正面図を示し、図中、９はホーゼル部１１やソール部１３，フェース部１５等がチタン合金やステンレス合金等で一体に鋳造されたヘッド本体で、図３に示すように打球時の慣性モーメントを大きくするため、ヘッド本体９のバック部１７側には、ヘッド本体９の周辺部を残してキャビティ１９が設けられており、斯かる構成によりヘッド本体９の重量が周辺部に分散されて、打球の方向性が安定するようになっている。
【００１２】
尚、図示しないが、更にソール部１３にウエイト部材を配する等して低重心化を図ってもよい。
而して、図４及び図５に示すようにキャビティ１９は、ヘッド本体９の周辺部を残して、そのフェース部１５からバック部１７に亘って透孔２１を設けると共に、当該透孔２１のフェース側開口部に設けた受け部（段部）２３に、チタン合金やステンレス合金等を鍛造した薄肉な平板状のフェース部材２５を係合させてその周縁部と受け部２３の周壁との接合部をレーザー溶接して形成されており、フェース部材２５はヘッド本体９のフェース部１５と面一となって、当該フェース部１５と共にヘッド３のフェース部（打球面）２７を構成する。
【００１３】
尚、フェース部材２５は２ｍｍ程の均一な肉厚で形成されている。また、ヘッド本体９とフェース部材２５の取付けは、溶接の他、周知のろう付けやカシメ等の方法を用いてもよい。
また、図２，図４乃至図６に示すようにフェース部材２５の表面には、当該フェース部材２５の表面に対し上側内面２９と下側内面３１が垂直に形成された複数本（本実施形態では７本）の直線状のスコアライン（幅０．５〜０．９ｍｍ、深さ０．３〜０．５ｍｍ）３３が、均一な間隔Ａ（Ａ≧２ｍｍ）を空けて形成されている。そして、上述の如くフェース部材２５を受け部２３に係合させてヘッド本体９に取り付けると、図２に示すように各スコアライン３３はソール部１３に沿って略平行に、即ち、各スコアライン３３は前記基準水平面Ｌと略平行（±２°）にヘッド３のトゥ，ヒール方向に延び、そして、全てのスコアライン３３のトゥ側端部は、基準水平面Ｌに対して垂直にヘッド３のトップ，ソール方向に連続して揃い、また、スコアライン３３のヒール側端部は、フェース部材２５の外形形状の制約から、少なくとも最下部のスコアライン３３とこの近傍の複数本がヘッド３のトップ，ソール方向に揃えられている。
【００１４】
そして、図２に示すように複数本のスコアライン３３が形成されたスコアライン形成領域３５は、トゥ，ヒール方向に５０〜６０ｍｍの幅Ｂをもってフェース部２７の周辺を残し、スイートスポットを含む略中央に位置している。
尚、既述したように本実施形態は、全てのスコアライン３３のトゥ側端部を連続して揃えたが、その一部を揃える等、必ずしも連続的に揃える必要はなく、アドレス時にスコアライン形成領域が視認できればよい。
【００１５】
このように本実施形態に係るヘッド３は、フェース部２７の略中央に複数本のスコアライン３３からなるスコアライン形成領域３５が形成されているが、本実施形態は斯かる構成に加え、更にスコアライン形成領域３５とその周辺のフェース部２７に多数の小溝３７を設けたことを特徴とする。
図２，図４及び図５に示すように小溝３７は、フェース部材２５とヘッド本体９のフェース部１５に亘って、スコアライン形成領域３５を含むヘッド３のフェース部２７全面に、スコアライン３３に沿ってトゥ，ヒール方向にエンドミル等の鋭利な切削具によって多数切削されている。
【００１６】
そして、図６に示すように小溝３７は、スコアライン３３より小さな開口幅（０．０５〜０．１ｍｍ）と深さ（０．０５〜０．２ｍｍ）をもって形成されると共に、フェース部材２５の表面に対し上側内面３９が垂直で、下側内面４１がフェース部材２５の表面に対し開く方向に傾斜した断面鋸歯形状に形成されており、隣接する小溝３７の間隔Ｃは小溝３７の開口幅Ｄより幅狭（Ｃ＜Ｄ）とされている。
【００１７】
本実施形態に係るヘッド３はこのように構成され、スコアライン形成領域３５を含むヘッド３のフェース部２７全面に多数の小溝３７がスコアライン３３に沿って設けられているが、小溝３７はスコアライン３３より小さな開口幅で細く形成されているため、斯かるヘッド３を装着したゴルフクラブ７のアドレス時にヘッド３を上方から目視すると、スコアライン形成領域３５が容易に視認できる。
【００１８】
そして、スコアライン形成領域３５でボールを打球すると、スコアライン３３と小溝３７との相乗作用で、スコアラインのみが形成された従来のヘッドに比しボールに大きなスピンがかかるが、小溝３７の上側内面３９をフェース部材２５の表面に対し垂直に設け、下側内面４１を開く方向に傾斜させた構造上、ボールにバックスピンがかけ易く、また、隣接する小溝３７の間隔Ｃを小溝３７の開口幅Ｄより幅狭としたことで、打球時にボールとの摩擦力が高まってボールに大きなスピンがかかることとなる。
【００１９】
また、スコアライン形成領域３５を外してボールを打球しても、小溝３７がボールにスピンをかける。そして、この場合も、小溝３７の上側内面３９をフェース部材２５の表面に対し垂直に設け、下側内面４１を開く方向に傾斜させた構造上、ボールにバックスピンがかけ易く、隣接する小溝３７の間隔Ｃを小溝３７の開口幅Ｄより幅狭としたことで、ボールとの摩擦力が高まってボールに大きなスピンがかかることとなる。
【００２０】
以上述べたように、本実施形態によれば、アドレス時にスコアライン形成領域３５が良好に視認できるため、目標とするボールの飛球ラインに対するヘッド３のセッティング状態が容易に確認でき、また、特許文献１，２の従来例と異なり、打点ズレをした場合にも、小溝３７によってボールにスピンをかけることができ、小溝３７の上側内面３９をフェース部材２５の表面に対し垂直に設け、下側内面４１を開く方向に傾斜させた構造上、ボールにバックスピンがかけ易く、また、隣接する小溝３７の間隔Ｃを小溝３７の開口幅Ｄより幅狭としたことで、打球時にボールとの摩擦力が高まってボールに大きなスピンをかかることができ、この結果、確実に飛距離を伸ばしたり飛距離を調整することができる利点を有する。
【００２１】
而も、小溝３７の開口幅を底より大きくしたことで、小溝３７に土や草が入っても簡単に除去することができる。
そして、上述したように本実施形態は、小溝３７の上側内面３９をフェース部材２５の表面に対し垂直に設け、下側内面４１を開く方向に傾斜させたが、アイアンのゴルフクラブセットに於て、上側内面３９の角度を大きい番手（ショートアイアン）ほど下向きに傾斜させ、小さい番手（ロングアイアン）ほど上向きに傾斜させることで、セット全体としてスピン量の調整が可能となる。
【００２２】
また、隣接する小溝３７の間隔Ｃを小溝３７の開口幅Ｄより幅狭とすることで、打球時にボールとの摩擦力を高めてスピンを大きくすることが可能となったが、ゴルフクラブセットに於て、大きい番手ほど間隔Ｃを狭くし、小さい番手ほど間隔Ｃを広くすることで、同じくセット全体としてスピン量の調整が可能となる利点を有する。
尚、図２に示すように本実施形態は、フェース部材２５とヘッド本体９のフェース部１５に亘ってヘッド３のフェース部２７全面に小溝３７を形成したが、ヘッド本体９のフェース部１５領域でボールを打球することは殆どないため、必ずしもこのフェース部１５部分に小溝３７を設ける必要はない。
【００２３】
図７は請求項１及び請求項３に係る発明をアイアンのヘッドに適用した第二実施形態を示し、本実施形態は、フェース部材２５とヘッド本体９のフェース部１５に亘ってヘッド３-1のフェース部２７全面に、小溝３７-1をヘッド３-1のトゥ側上方に中心Ｐを有する同心円で形成したものである。
そして、前記小溝３７と同様、小溝３７-1は、スコアライン３３より小さな開口幅（０．０５〜０．１ｍｍ）と深さ（０．０５〜０．２ｍｍ）をもって形成されると共に、フェース部材２５の表面に対し上側内面が垂直で、下側内面がフェース部材２５の表面に対し開く方向に傾斜した断面鋸歯形状に形成されており、隣接する小溝３７-1の間隔は小溝３７-1の開口幅より幅狭とされている。
【００２４】
尚、その他の構成は図１の実施形態と同様であるので、同一のものには同一符号を付してそれらの説明は省略する。
本実施形態に係るヘッド３-1はこのように構成されているから、図２のヘッド３と同様、打点ズレをした場合にも小溝３７-1によってボールにスピンをかけることができるが、小溝３７-1が曲線で形成されているため、前記ヘッド３に比し、アドレス時にスコアライン形成領域３５が更に確認し易い利点を有する。
【００２５】
また、ヘッド３-1のトゥ側上方に中心Ｐを有する同心円で小溝３７-1を形成した結果、スコアライン形成領域３５よりもトゥ側のフェース部２７では、小溝３７-1が基準水平面Ｌに沿う方向で形成されるのに対し、スコアライン形成領域３５では小溝３７-1がスコアライン３３に対して略縦方向に形成されるため、フェース部２７のトゥ側と中央（スコアライン形成領域３３）でのスピン量の差を小さくすることが可能となった。
【００２６】
図８は請求項１及び請求項２に係る発明をアイアンのヘッドに適用した一実施形態を示し、本実施形態に係るヘッド３-2は、図２の構成に代え、スコアライン形成領域３５を除くフェース部２７のトゥ側に、前記小溝３７と同一断面形状，同一開口幅寸法の小溝３７-2を設けたもので、図示しないが、スコアライン形成領域３５を除くフェース部２７のトップ側やソール側，ヒール側にも小溝３７-2を設けてもよい。
【００２７】
而して、本実施形態によっても、打点ズレをした場合に小溝３７-2によってボールにスピンをかけることができ、また、アドレス時にスコアライン形成領域３５が視認し易いことは勿論、フェース部２７のトゥ側と中央（スコアライン形成領域３３）でのスピン量の差を小さくでき、この結果、安定した打球をすることができる。
尚、上述した各実施形態のアイアンのヘッドに代え、キャビティをバック部で覆った中空構造のアイアンのヘッドに本発明を適用できることは勿論、フェース部に複数本のスコアラインを設けたウッドのヘッドにも本発明を適用可能である。
【図面の簡単な説明】
【００２８】
【図１】請求項１及び請求項３の第一実施形態に係るヘッドを用いたアイアンのゴルフクラブの全体正面図である。
【図２】請求項１及び請求項３の第一実施形態に係るアイアンのヘッドの正面図である。
【図３】図２に示すヘッドの背面図である。
【図４】図２のIV−IV線断面図である。
【図５】図２のＶ−Ｖ線断面図である。
【図６】フェース部の要部拡大断面図である。
【図７】請求項１及び請求項３の第二実施形態に係るアイアンのヘッドの正面図である。
【図８】請求項１及び請求項２の一実施形態に係るアイアンのヘッドの正面図である。
【符号の説明】
【００２９】
１  シャフト
３，３-1，３-2  ヘッド
７  ゴルフクラブ
９  ヘッド本体
１３  ソール部
１５  ヘッド本体のフェース部
１７  バック部
１９  キャビティ
２５  フェース部材
２７  ヘッドのフェース部
３３  スコアライン
３５  スコアライン形成領域
３７，３７-1，３７-2  小溝
【図１】
2007202633.tif 000003
【図２】
2007202633.tif 000004
【図３】
2007202633.tif 000005
【図４】
2007202633.tif 000006
【図５】
2007202633.tif 000007
【図６】
2007202633.tif 000008
【図７】
2007202633.tif 000009
【図８】
2007202633.tif 000010